(57)【要約】【課題】自然気化式加湿具を置く水平な台等がない部屋であっても設置することができる自然気化式加湿具を提供する。【解決手段】上方に開口すると共に加湿用の水Ｗを貯える貯水部２４を備えた本体ケース２と、吸水性を有する加湿エレメント３とを備えている自然気化式加湿具１であって、前記本体ケース２は引掛け部２６を備え、前記自然気化式加湿具１が設置される室内の壁面Ｋに取付けられた取付部材６と前記壁面Ｋとの間に前記引掛け部２６が挿入され引掛けられて、前記壁面Ｋに取付けられるようにする。【選択図】        図１
2016070562.tif 000002
【特許請求の範囲】
【請求項１】
上方に開口すると共に加湿用の水を貯える貯水部を備えた本体ケースと、吸水性を有する加湿エレメントとを備えている自然気化式加湿具であって、前記本体ケースは引掛け部を備え、前記自然気化式加湿具が設置される室内の壁面に取付けられた取付部材と前記壁面との間に前記引掛け部が挿入され引掛けられて、前記壁面に取付けられるようになされていることを特徴とする自然気化式加湿具。
【請求項２】
前記引掛け部は、前記貯水部の後端上部から後側に突設された横板部と、該横板部から下方に突設された縦板部とを備えていることを特徴とする請求項１に記載の自然気化式加湿具。
【請求項３】
前記取付部材は、前記壁面に取付けられた状態の平面視において、壁面側に開口したハット形状となされ、前記壁面から離間され壁面との隙間に前記引掛け部が挿入される引掛け部係止部と、該引掛け部係止部の左右端部から前記壁面側に突設された縦壁部と、該縦壁部の壁面側端部からフランジ状に設けられ前記壁面に当接される当接板部とを備え、該当接板部に固定用部材を貫通させることにより前記壁面に取付けられるようになされていることを特徴とする請求項１又は２に記載の自然気化式加湿具。
【請求項４】
前記引掛け部には前記横板部から縦板部にわたり板状の補強リブが設けられ、前記取付部材の引掛け部係止部には縦溝が設けられ、前記自然気化式加湿具が前記壁面に取付けられた状態で、前記補強リブが前記縦溝に挿入されていることを特徴とする請求項２又は３に記載の自然気化式加湿具。
【発明の詳細な説明】
【技術分野】
【０００１】
本発明は、電源を必要とせず、水の自然蒸発を利用した自然気化式加湿具に関するものである。
【背景技術】
【０００２】
従来から、室内の空気が過度に乾燥するのを防止し、適当な湿度を保つために様々な加湿具が利用されている。近年は、特に省エネルギーや環境への配慮から電力を使用せず、水の自然な蒸発作用を利用した自然気化式加湿具が多く用いられている（例えば下記特許文献１及び２参照）。
【０００３】
これら従来の自然気化式加湿具は、いずれも吸水性を有する加湿エレメントを用い、当該加湿エレメントの一部（浸漬部）を水に浸漬させると共に一部（露出部）を水の外へ露出させたものであって、毛細管現象を利用して水を前記露出部から蒸発させるものである。すなわち、上記のような構成とすることにより、毛細管作用によって浸漬部から露出部へと水が浸潤し、その水が露出部から室内の空気中へと蒸発することによって、室内の加湿をするものである。
【０００４】
このような従来の自然気化式加湿具によれば、確かに電力を使用することなく、水の自然な蒸発作用を利用して室内の空気の乾燥を防止し、適度な湿度を維持するこが可能となるが、その加湿エレメントには、吸水性のある合成樹脂シートや不織布、紙などが用いられ、その下側が水に浸漬されるとともに上側が水から外へ露出するようにして、自立させたものとしている。この水から外へ露出した露出部は、効率よく水を蒸発させるためには、その表面積を大きくするのが好ましい。しかしながら一方、露出部を大きくすると、露出部まで水が浸潤するとその重みで加湿エレメントの自立状態が維持しずらくなってしまう。それゆえ、加湿エレメントの自立状態を維持するために、その形状を複雑なものとする必要があったため、それを改善するために、本出願人は、上方に開口すると共に、加湿用の水を貯える貯水部を備えた本体ケースと、吸水性を有する加湿エレメントとを備え、前記貯水部の底部には、前記加湿エレメントの差し入れ及び抜き取りを自在とした溝部が形成され、更に、本体ケースの開口部を覆う蓋体を備え、該蓋体には、上下に貫通するスリットが形成され、加湿エレメントは前記スリットに挿通されて差し入れられるようになされた自然気化式加湿装置を提案している（特許文献３）。
【先行技術文献】
【特許文献】
【０００５】
【特許文献１】特開２００５−３２１１８４号公報
【特許文献２】特開２００７−１０７７６８号公報
【特許文献３】特開２０１３−１０８６５３号公報
【発明の概要】
【発明が解決しようとする課題】
【０００６】
しかしながら、上記のような従来の自然気化式加湿装置である自然気化式加湿具においては、それを載置するためのスペースが必要となるため、例えば置き台が無い部屋等においては、床に直置きするしかなく、そのため、誤って蹴り倒してしまう可能性もあった。
【０００７】
本発明は、上記のような課題を改良するためになされたものであり、自然気化式加湿具を置く水平な台等がない部屋であっても設置することができる自然気化式加湿具を提供することを目的とする。
【課題を解決するための手段】
【０００８】
上記の課題を解決するため、本発明に係る自然気化式加湿具は、上方に開口すると共に加湿用の水を貯える貯水部を備えた本体ケースと、吸水性を有する加湿エレメントとを備えている自然気化式加湿具であって、前記本体ケースは引掛け部を備え、前記自然気化式加湿具が設置される室内の壁面に取付けられた取付部材と前記壁面との間に前記引掛け部が挿入され引掛けられて、前記壁面に取付けられるようになされていることを特徴とする。
【０００９】
本発明に係る自然気化式加湿具によれば、前記本体ケースは引掛け部を備え、前記自然気化式加湿具が設置される室内の壁面に取付けられた取付部材と前記壁面との間に前記引掛け部が挿入され引掛けられて、前記壁面に取付けられるようになされているので、前記自然気化式加湿具を載置する水平な置き台などがない室内であっても、前記自然気化式加湿具を設置することができ、また前記自然気化式加湿具を床に直置きしなくて済むので、室内を歩いている時に誤って倒してしまうことを抑制することもできる。
【００１０】
また、本発明に係る自然気化式加湿具において、前記引掛け部は、前記貯水部の後端上部から後側に突設された横板部と、該横板部から下方に突設された縦板部とを備えているようにしてもよい。
【００１１】
この様にすれば、前記引掛け部は、前記貯水部の後端上部から後側に突設された横板部と、該横板部から下方に突設された縦板部とを備えているので、前記貯水部を前記壁面から離間させることができ、それによって、前記壁面が極度に湿気を帯びるのを防ぐことができる。
【００１２】
また、本発明に係る自然気化式加湿具において、前記取付部材は、前記壁面に取付けられた状態の平面視において、壁面側に開口したハット形状となされ、前記壁面から離間され壁面との隙間に前記引掛け部が挿入される引掛け部係止部と、該引掛け部係止部の左右端部から前記壁面側に突設された縦壁部と、該縦壁部の壁面側端部からフランジ状に設けられ前記壁面に当接される当接板部とを備え、該当接板部に固定用部材を貫通させることにより前記壁面に取付けられるようにしてもよい。
【００１３】
この様にすれば、前記取付部材は、前記壁面に取付けられた状態の平面視において、壁面側に開口したハット形状となされ、前記壁面から離間され壁面との隙間に前記引掛け部が挿入される引掛け部係止部と、該引掛け部係止部の左右端部から前記壁面側に突設された縦壁部と、該縦壁部の壁面側端部からフランジ状に設けられ前記壁面に当接される当接板部とを備え、該当接板部に固定用部材を貫通させることにより前記壁面に取付けられるようにしているので、前記壁面と前記引掛け部係止部の間の隙間に前記本体ケースの引掛け部を挿入するだけで、前記壁面に自然気化式加湿具を取付けることができ、効率よく取付作業を行うことができる。
【００１４】
さらに、本発明に係る自然気化式加湿具において、前記引掛け部には前記横板部から縦板部にわたり板状の補強リブが設けられ、前記取付部材の引掛け部係止部には縦溝が設けられ、前記自然気化式加湿具が前記壁面に取付けられた状態で、前記補強リブが前記縦溝に挿入されているようにしてもよい。
【００１５】
この様にすれば、前記引掛け部には前記横板部から縦板部にわたり板状の補強リブが設けられ、前記取付部材の引掛け部係止部には縦溝が設けられ、前記自然気化式加湿具が前記壁面に取付けられた状態で、前記補強リブが前記縦溝に挿入されているので、前記引掛け部の強度を向上できるとともに、前記本体ケースと前記取付部材との位置決めがなされ、かつ前記本体ケースが左右に移動するのを防ぐことができる。
【発明の効果】
【００１６】
以上のとおり、本発明に係る自然気化式加湿具によれば、前記自然気化式加湿具を載置する水平な置き台などがない室内であっても、前記自然気化式加湿具を設置することができ、また前記自然気化式加湿具を床に直置きしなくて済むので、室内を歩いている時に誤って倒してしまうことを抑制することもできる。
【図面の簡単な説明】
【００１７】
【図１】本発明に係る自然気化式加湿具の一実施形態を示す斜視図である。
【図２】図１の自然気化式加湿具を分解した状態を示す斜視図である。
【図３】図１のＡ−Ａ線における断面図である。
【図４】本発明に係る自然気化式加湿具を壁面に取付ける手順を説明する説明図である。
【図５】本発明に用いる本体ケースの、（ａ）は正面図、（ｂ）は平面図、（ｃ）は側面図、（ｄ）は背面図、（ｅ）は底面図である。
【図６】本発明に用いる取付部材の、（ａ）は正面図、（ｂ）は平面図、（ｃ）は側面図、（ｄ）は背面図、（ｅ）は底面図である。
【発明を実施するための形態】
【００１８】
以下、本発明を実施するための形態を、図面に基づいて詳細に説明する。
１は本発明に係る自然気化式加湿具であって、本体ケース２と加湿エレメント３と給水ボトル４と給水ボトル４のボトルキャップ５とを備えている。なお、本出願の記載においては、前記自然気化式加湿具１が取付けられる壁面Ｋ側を後側とし、該壁面Ｋに取付けられた前記自然気化式加湿具１の手前側を前側とする。
【００１９】
前記加湿エレメント３は、吸水性を備えた薄板状の不織布によって形成され、例えば本実施例に示すように、シカ科最大種のヘラジカの顔を模したように、前記不織布を裁断し組み合わせて形成されている。そして、前記加湿エレメント３の下部３１は前記本体ケース２内に配置され、その上側部や側方部は前記本体ケース２よりも上方や側方へ露出するようになされている。
【００２０】
そして、前記加湿エレメント３の下部３１が後述する本体ケース２の貯水部２４の水Ｗに浸されて吸水し、その吸収された水Ｗが毛細管現象によって前記貯水部２４の水Ｗから露出している前記加湿エレメント３全体に導かれ、前記貯水部２４の水Ｗから露出している前記加湿エレメント３から、吸い上げられた水Ｗを蒸散させるようになされている。
【００２１】
尚、前記加湿エレメント３を形成する材料は、不織布に限定されたものではない。吸水性能を備え、吸収した水を空気中に蒸発させる作用を有するものであれば、合成樹脂製のシートや紙など、任意の材料を適宜選択して用いることができる。また、この加湿エレメント３には、抗菌・防カビなどの性能を付与する加工を施してもよく、或いは、加湿エレメント３が吸水していることを目視できるように、吸水すると変色するインキを含浸させるなどの加工を施してもよい。
【００２２】
前記本体ケース２は、上方に開口した開口部２１を備え、四角形状の底板部２２から平板状の縦壁２３が４個立設された直方体形状の箱体に形成されて、加湿用の水Ｗを貯える貯水部２４が形成されており、前記本体ケース２の貯水部２４の底板部２２の中央に、前記給水ボトル４を着脱自在に取付けて保持するための給水ボトル取付部２５が設けられている。
【００２３】
そして、前記貯水部２４を形成する４個の前記縦壁２３のうち１個の縦壁２３ａには引掛け部２６が備えられ、前記自然気化式加湿具１が設置される室内の壁面Ｋに取付けられた薄板状の取付部材６と前記壁面Ｋとの間に前記引掛け部２６が挿入され引掛けられて、前記壁面Ｋに前記自然気化式加湿具１が取付けられるようになされている。
【００２４】
詳細には前記引掛け部２６は、前記貯水部２４の後端にあたる前記縦壁２３ａの上端部から後側に水平に突設された横板部２７と、該横板部２７の後端から下方に突設された縦板部２８とを備えるとともに、前記横板部２７の中央から前記縦板部２８及び前記縦壁２３ａの中央にわたり縦板状の補強リブ２９が設けられている。
【００２５】
前記取付部材６は、前記壁面Ｋに取付けられた状態における平面視において、壁面Ｋ側に開口した扁平なハット形状となされ、前記壁面Ｋから離間され壁面Ｋとの隙間Ｓに前記引掛け部２６の縦板部２８が挿入される引掛け部係止部６１と、該引掛け部係止部６１の左右端部から前記壁面Ｋ側に突設された縦壁部６２と、該縦壁部６２の壁面Ｋ側端部からフランジ状に設けられ前記壁面Ｋに当接される当接板部６３とを備え、該当接板部６３に固定用部材７を貫通させることにより前記壁面Ｋに取付けることができるようになされている。また、前記引掛け部係止部６１とその左右に設けられた前記縦壁部６２とにわたり、水平な薄板状の水平リブ６６が上下に３段設けられており、前記取付部材６の強度アップが図られている。
【００２６】
詳細には、前記当接板部６３は縦長の長方形の薄板状体であり、横長の長方形状の貫通孔６４が上下に４個、ほぼ等間隔で並設されている。そして、前記取付部材６の左右に配置されている前記当接板部６３を前記壁面Ｋに当接し、前記貫通孔６４に前記固定用部材７を貫通させて、前記壁面Ｋに前記取付部材６が取付けられる。本実施形態において、前記固定用部材７はコの字状のホッチキスの針であり、前記ホッチキスの針の脚部を４個の前記貫通孔６４のうち隣り合う２個の貫通孔６４に挿通し、前記壁面Ｋに差し込むことで、前記壁面Ｋに前記取付部材６が取付けられている。なお、前記固定用部材７はホッチキスの針に限定されるものではなく、例えば押しピン、木ネジなど、前記取付部材６を貫通し前記壁面Ｋに取付けられるものであればよい。その場合には、前記貫通孔６４の形状を前記固定用部材７の形状に合わせて、適宜形成すればよい。
【００２７】
前記給水ボトル取付部２５は、前記本体ケース２と一体的に形成されており、前記本体ケース２の貯水部２４の底板部２２から上方に延びる円筒状の立ち上がり片の一部を切り欠いた、平面視において略Ｃ字状の突出片からなるものである。尚、前記本体ケース２は、この実施形態においては、ポリプロピレンにより作製されたものであるが、これに限られず任意の合成樹脂材料、ゴム、金属、セラミックス材料等から選択して作製することができる。また、前記本体ケース２の底板部２２の底面側の四隅には、短尺の円筒状の突出部３０が設けられており、前記自然気化式加湿器１を水平な台などに載置した際、安定して載置することができるようになされている。
【００２８】
前記給水ボトル４は、ボトル本体４１と該ボトル本体４１の開口部４２に被せられるボトルキャップ５とからなる。前記給水ボトル４は、前記ボトル本体４１の開口部４２側を下にして、前記ボトルキャップ５が前記本体ケース２の給水ボトル取付部２５に嵌着されることによって、前記本体ケース２に着脱自在に取付けられ、前記開口部４２より、前記本体ケース２の貯水部２４に前記給水ボトル４に入れられている水Ｗが前記貯水部２４に供給されるようになされている。
【００２９】
前記ボトルキャップ５の内壁面には、前記ボトル本体４１の開口部４２の外壁面に形成されたねじ山４３に螺合可能なねじ山ないしねじ溝５１が形成されて螺合部となされ、これによって前記ボトルキャップ５は前記ボトル本体４１の開口部４２に螺合される。
【００３０】
また、前記ボトルキャップ５の前記螺合部から連通して略角柱形状の空間部５２が形成されている。さらに、前記ボトルキャップ５には、前記ボトル本体４１内と前記本体ケース２の貯水部２４とを連通させるための連通孔５３が形成されている。
【００３１】
尚、前記ボトル本体４１及びボトルキャップ５は、任意の合成樹脂材料、ゴム、金属、セラミックス材料等から選択して作製することができるが、ボトル本体４１については透明ないし半透明の材料にて形成すれば、前記ボトル本体４１内の水位を目視で確認できるので好ましい。
【００３２】
また前記本体ケース２は、本実施形態においてはポリプロピレンによって作製されたものであるが、これに限定されるものではなく、任意の合成樹脂材料、ゴム、金属、セラミックス材料等を用いて作製することができる。
【００３３】
また、前記加湿エレメント３のうち、前記本体ケース２の外側に配置されている加湿エレメント３の最下端縁３２は、前記貯水部２４の水面の高さ（水位）よりも上側に配置されている。このため、前記貯水部２４の水Ｗに浸されている前記加湿エレメント３の下部３１から吸い上げられた加湿用の水Ｗが、前記本体ケース２の外側に配置している前記加湿エレメント３の最下端縁３２から垂れることを防止することができる。
【００３４】
続いて、上述した各部材により構成される前記自然気化式加湿具１について、その使用方法にしたがって、更に詳しく説明する。
先ず、前記ボトル本体４１に加湿用の水Ｗを充填し、その開口部４２に前記ボトルキャップ５を螺着する。次に、前記給水ボトル４を逆さにして、すなわち前記ボトル本体４１の開口部４２を下側にして、前記ボトルキャップ５を前記本体ケース２の給水ボトル取付部２５に嵌着させる。
【００３５】
そうすると、前記ボトル本体４１内の水Ｗが、その開口部４２から前記空間部５２へ、更に連通孔５３を介して前記本体ケース２の貯水部２４へと流入する。そうして、前記空間部５２内の水位が、前記ボトル本体４１の開口部４２の下端縁まで来たときに、大気圧と水圧との均衡によって、前記ボトル本体４１からの水Ｗの流入が止まる。その後、前記貯水部２４内の水Ｗが蒸散して貯水部２４内の水位が下がると、大気圧と水圧とのバランスにより前記給水ボトル４１内から水Ｗが流入するので、前記貯水部２４内の水位は一定に保たれる。
【００３６】
上述の様に、前記不織布を裁断し組み合わせてヘラジカの顔を模したように形成した前記加湿エレメント３は、前記本体ケース２の縦壁２３に対して上側から嵌め込むことができる切込み部３３が形成され、該切込み部３３が前記縦壁２３に嵌め込まれるとともに、前記加湿エレメント３の下部３１が前記本体ケース２の貯水部２４内に配置され、加湿用の水Ｗに浸されている。この様に、前記加湿エレメント３の切込み部３３を前記縦壁２３に嵌め込んでいるので、前記加湿エレメント３が前記本体ケース２から外れにくくなっている。
【００３７】
そして、室内の壁面Ｋに前記取付部材６の当接板部６３を当接させ、前記貫通孔６４に固定用部材７であるホッチキスの針を２個ずつ計８個挿通し前記壁面Ｋに差し込んで、前記壁面Ｋに前記取付部材６を取付ける。次に、前記壁面Ｋと前記引掛け部係止部６１の間に形成されている隙間Ｓに、前記本体ケース２の引掛け部２６の縦板部２８を挿入し引掛けて、前記壁面Ｋに前記自然気化式加湿具１が取付けられる。なお、前記取付部材６の引掛け部係止部６１の中央には縦溝６５が設けられ、前記引掛け部２６の縦板部２８を前記隙間Ｓに挿入した時、前記引掛け部２６の前記補強リブ２９が前記縦溝６５に挿入されて、前記本体ケース２が左右に移動するのを防ぐことができる。
【００３８】
また、本願に係る自然気化式加湿具１においては、加湿用の水Ｗを前記給水ボトル４内に閉じ込めておくことができる。それゆえ、加湿用の水Ｗに例えばアロマ成分等の香料や、薬効成分、その他揮発性の高い成分などを混入した場合にも、それら成分が短期間に蒸散することがないので、長期間にわたって所望の効能を発揮させることが可能となる。
【００３９】
以上のとおり、具体的な実施形態を示して本発明に係る気化式加湿具を説明してきたが、本発明は上述の実施形態に限られるものではなく、本発明の趣旨を逸脱しない範囲で様々に形態等を変更することが可能なものである。すなわち、今回開示した実施形態は、すべての点で例示であって、限定的な解釈の根拠となるものではない。したがって、本発明の技術的範囲は、上記した実施形態のみによって解釈されるものではなく、特許請求の範囲の記載に基づいて画定され、また、特許請求の範囲と均等の意味および範囲内でのすべての変更が含まれるものである。
【００４０】
本実施形態においては、不織布を裁断し組み合わせてヘラジカの顔を模したように前記加湿エレメント３を形成しているが、これに限定されるものではないことは言うまでもなく、キリン、ゾウ、トナカイなど、他の動物の顔を模したものであってもよい。
【符号の説明】
【００４１】
１  自然気化式加湿具
２  本体ケース
２１  開口部
２２  底板部
２３  縦壁
２４  貯水部
２５  給水ボトル取付部
２６  引掛け部
２７  横板部
２８  縦板部
２９  補強リブ
３０  突出部
３  加湿エレメント
３１  下部
３２  最下端縁
３３  切込み部
４  給水ボトル
４１  ボトル本体
４２  開口部
４３  ねじ山
５  ボトルキャップ
５１  ねじ山ないしねじ溝
５２  空間部
５３  連通孔
６  取付部材
６１  引掛け部係止部
６２  縦壁部
６３  当接板部
６４  貫通孔
６５  縦溝
６６  水平リブ
７  固定用部材
Ｗ  水
Ｋ  壁面
Ｓ  隙間
【図１】
2016070562.tif 000003
【図２】
2016070562.tif 000004
【図３】
2016070562.tif 000005
【図４】
2016070562.tif 000006
【図５】
2016070562.tif 000007
【図６】
2016070562.tif 000008